(57)【要約】  ePDCCHにおいてクロスキャリアスケジューリングを適切に行うことができる送信装置。この装置において、設定部（１０２）は、複数のコンポーネントキャリア（CC：Component Carrier）を用いて通信を行う際、第１CC内のデータ割当可能領域に含まれる、複数の割当単位群のうちの同一の割当単位群内に、第１CC用の制御情報を割り当てる候補である第１サーチスペースと、複数のCCのうちの第１CC以外の第２CC用の制御情報を割り当てる候補である第２サーチスペースとを設定し、送信部（１０６）は、第１サーチスペースおよび第２サーチスペースの各々にマッピングされた制御情報を送信する。
2013168389.tif 000002
【特許請求の範囲】
【請求項１】
複数のコンポーネントキャリア（CC：Component Carrier）を用いて通信を行う際、第１CC内のデータ割当可能領域に含まれる複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定する設定手段と、
前記第１サーチスペースおよび前記第２サーチスペースの各々にマッピングされた制御情報を送信する送信手段と、
を具備する送信装置。
【請求項２】
前記設定手段は、前記同一の割当単位群内の異なる割当単位を、前記第１サーチスペースおよび前記第２サーチスペースにそれぞれ設定する、
請求項１記載の送信装置。
【請求項３】
前記割当単位は物理リソースブロック（PRB：Physical Resource Block）ペアであり、前記割当単位群はリソースブロックグループ（RBG：Resource Block Group）またはサブバンドであって、
前記設定手段は、前記第１CC内のデータ割当可能領域に含まれる複数のRBGのうち、同一RBG内または同一サブバンド内の異なるPRBペアを、前記第１サーチスペースおよび前記第２サーチスペースにそれぞれ設定する、
請求項２記載の送信装置。
【請求項４】
前記設定手段は、前記同一RBGまたは前記同一サブバンド内において、前記第１サーチスペースに設定された第１PRBペアを巡回シフトさせた、前記第１PRBペアとは異なる第２PRBペアを、前記第２サーチスペースに設定する、
請求項３記載の送信装置。
【請求項５】
前記巡回シフトの量は、前記第２CCに設定されたCIF（Carrier Indication Field）の値である、
請求項４記載の送信装置。
【請求項６】
前記設定手段は、前記巡回シフトの量がRBGを構成するPRBペア数以上の場合、前記第１PRBペアが属するRBGに隣接する他のRBG内の第３PRBペアを、前記第２サーチスペースに設定する、
請求項４記載の送信装置。
【請求項７】
前記設定手段は、前記同一RBGよりも優先して、前記同一サブバンド内において、前記第１PRBペアを巡回シフトさせた前記第２PRBペアを前記第２サーチスペースに設定する、
請求項４記載の送信装置。
【請求項８】
前記設定手段は、前記同一RBG内に、PRBバンドリング単位である複数のPRG（Precoding Resource block Group）が含まれる場合、前記複数のPRGのうち、前記第１PRBペアが含まれるPRG内のPRBペアを優先して、前記第２サーチスペースに設定する、
請求項４記載の送信装置。
【請求項９】
前記RBGを構成するPRBペア数が４個の場合、前記PRGを構成するPRBペア数が２個であり、
前記設定手段は、前記同一PRGを構成する２個のPRBペアのうち一方のPRBペアを前記第１サーチスペースに設定し、他方のPRBペアを前記第２サーチスペースに設定する、
請求項８記載の送信装置。
【請求項１０】
前記割当単位は制御チャネル要素（CCE：Control Channel Element）であり、前記割当単位群は物理リソースブロック（PRB：Physical Resource Block）ペアであって、
前記設定手段は、前記第１CC内のデータ割当可能領域に含まれる複数のPRBペアのうち、同一PRBペア内の異なるCCEを、前記第１サーチスペースおよび前記第２サーチスペースにそれぞれ設定する、
請求項２記載の送信装置。
【請求項１１】
前記設定手段は、前記同一PRBペア内において、前記第１サーチスペースに設定された第１CCEを巡回シフトさせた、前記第１CCEとは異なる第２CCEを、前記第２サーチスペースに設定する、
請求項１０記載の送信装置。
【請求項１２】
前記巡回シフトの量は、前記第２CCに設定されたCIF（Carrier Indication Field）の値である、
請求項１１記載の送信装置。
【請求項１３】
前記設定手段は、前記巡回シフトの量がPRBペアを構成するCCE数以上の場合、前記第１CCEが属するPRBペアに隣接する他のPRBペア内の第３CCEを、前記第２サーチスペースに設定する、
請求項１１記載の送信装置。
【請求項１４】
前記第１サーチスペースで送信される制御情報用の参照信号に割り当てられるアンテナポートと、前記第２サーチスペースで送信される制御情報用の参照信号に割り当てられるアンテナポートと、は同一である、
請求項１０記載の送信装置。
【請求項１５】
前記設定手段は、
前記第１サーチスペースと前記第２サーチスペースとを前記同一PRBペア内の異なるCCEにそれぞれ設定できない場合、
前記割当単位を物理リソースブロック（PRB：Physical Resource Block）ペアとし、前記割当単位群をリソースブロックグループ（RBG：Resource Block Group）またはサブバンドとして、
前記第１CC内のデータ割当可能領域に含まれる複数のRBGのうち、同一RBG内または同一サブバンド内の異なるPRBペアを、前記第１サーチスペースおよび前記第２サーチスペースにそれぞれ設定する、
請求項１０記載の送信装置。
【請求項１６】
前記設定手段は、ローカライズド割当におけるアグリゲーションレベルが１つのPRBペアを構成するCCE数の半数よりも大きい場合、前記第１サーチスペースと前記第２サーチスペースとが前記同一のPRBペア内の異なるCCEにそれぞれ設定できないと判断する、
請求項１５記載の送信装置。
【請求項１７】
前記設定手段は、ディストリビューテッド割当において、１つのPRBペアあたりのサーチスペースに設定されるCCE数が、１つのPRBペアを構成するCCE数の半数よりも多い場合、前記第１サーチスペースと前記第２サーチスペースとが前記同一のPRBペア内の異なるCCEにそれぞれ設定できないと判断する、
請求項１５記載の送信装置。
【請求項１８】
前記第１CCはプライマリセルであり、前記第２CCはセカンダリセルである、
請求項１記載の送信装置。
【請求項１９】
前記第１CCは第１基地局によって用いられる帯域であり、前記第２CCは前記第１基地局とは異なる第２基地局によって用いられる帯域である、
請求項１記載の送信装置。
【請求項２０】
前記第１CCおよび前記第２CCの各々において、制御情報のフォーマット毎に所定数の異なるサーチスペースが設定される場合、
前記設定手段は、前記同一RBGまたは前記同一サブバンド内において、前記第１サーチスペースに設定された第１PRBペアを、前記CIFの値を前記所定数倍した値分だけ巡回シフトさせた前記第２PRBペアを、前記第２サーチスペースに設定する、
請求項５記載の送信装置。
【請求項２１】
前記割当単位はリソース要素グループ（REG：Resource Element Group）であり、前記割当単位群は制御チャネル要素（CCE：Control Channel Element）であって、
前記設定手段は、前記第１CC内のデータ割当可能領域に含まれる複数のCCEのうち、同一CCE内の異なるREGを、前記第１サーチスペースおよび前記第２サーチスペースにそれぞれ設定する、
請求項２記載の送信装置。
【請求項２２】
複数のコンポーネントキャリア（CC：Component Carrier）を用いて通信を行う際、第１CC内のデータ割当可能領域に含まれる、複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定する設定手段と、
前記第１サーチスペースおよび前記第２サーチスペースの各々にマッピングされた制御情報を受信する受信手段と、
を具備する受信装置。
【請求項２３】
複数のコンポーネントキャリア（CC：Component Carrier）を用いて通信を行う際、第１CC内のデータ割当可能領域に含まれる、複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定し、
前記第１サーチスペースおよび前記第２サーチスペースの各々にマッピングされた制御情報を送信する、
送信方法。
【請求項２４】
複数のコンポーネントキャリア（CC：Component Carrier）を用いて通信を行う際、第１CC内のデータ割当可能領域に含まれる、複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定し、
前記第１サーチスペースおよび前記第２サーチスペースの各々にマッピングされた制御情報を受信する、
受信方法。
【発明の詳細な説明】
【技術分野】
【０００１】
本発明は、送信装置、受信装置、送信方法、及び受信方法に関する。
【背景技術】
【０００２】
近年、セルラ移動体通信システムにおいては、情報のマルチメディア化に伴い、音声データのみならず、静止画像データ及び動画像データ等の大容量データを伝送することが一般化しつつある。また、LTE-Advanced（Long Term Evolution Advanced）では、広帯域の無線帯域、Multiple-Input Multiple-Output（MIMO）伝送技術、干渉制御技術を利用して高伝送レートを実現する検討が盛んに行われている。【０００３】
さらに、M2M（Machine to Machine）通信等、様々な機器が無線通信端末として導入されること、及び、MIMO伝送技術により端末の多重数が増加することを考慮すると、制御信号に使用されるPDCCH（Physical Downlink Control CHannel：下り回線制御チャネル）がマッピングされる領域（つまり、「PDCCH領域」）のリソース不足が懸念される。このリソース不足によって制御信号（PDCCH）がマッピングできなくなると、端末に対する下り回線データの割当が行えない。このため、下り回線データがマッピングされるリソース領域（つまり、「PDSCH（Physical Downlink Shared CHannel）領域」）が空いていても使用することができずに、システムスループットが低下してしまう恐れがある。【０００４】
このリソース不足を解消する方法として、無線通信基地局装置（以下、「基地局」と省略する）配下の端末に向けた制御信号を、データ領域にも配置することが検討されている。そして、この基地局配下の端末に向けた制御信号がマッピングされるリソース領域は、Enhanced PDCCH（ePDCCH）領域、New-PDCCH（N-PDCCH）領域、又は、X-PDCCH領域などと呼ばれる。このようにデータ領域に制御信号（つまり、ePDCCH）をマッピングすることにより、セルエッジ付近に存在する端末へ送信される制御信号に対する送信電力制御、又は、送信される制御信号によって他のセルへ与えられる干渉制御若しくは他のセルから自セルへ与えられる干渉制御が、実現可能となる。【０００５】
また、LTE-Advancedでは、各基地局のカバーエリアを拡大させるために、基地局と無線通信端末装置（以下、「端末」と省略する。UE（User Equipment）と呼ばれることもある）との間に、無線通信中継局装置（以下、「中継局」と省略する）を設置し、基地局と端末との間の通信を中継局を介して行う、中継（Relay）技術が検討されている。中継（Relay）技術を用いると、基地局と直接通信できない端末も中継局を介して通信することができる。LTE-Advancedにおいて導入されたRelay技術では、Relay用の制御信号はデータ領域に配置されている。このRelay用の制御信号を拡張して端末用の制御信号に使用される可能性があることから、Relay用の制御信号がマッピングされるリソース領域は、R-PDCCHとも呼ばれる。【０００６】
LTE（Long Term Evolution）では、下り回線（DL：Downlink）のデータ割当を指示するDL grant(DL assignmentとも呼ばれる)、及び、上り回線（UL:Uplink）のデータ割当を指示するUL grantが、PDCCHによって送信される。DL grantによって、このDL grantが送信されたサブフレーム内のリソースが端末に対して割り当てられたことが通知される。一方、UL grantに関しては、UL grantによって予め定められている対象サブフレーム内のリソースが、端末に対して割り当てられたことが通知される。【０００７】
LTE-Advancedでは、データ領域に、中継局用の回線制御信号を配置する領域（中継局向けR-PDCCH（Relay用PDCCH）領域）が設けられる。このR-PDCCHにも、PDCCHと同様に、DL grant及びUL grantが配置される。R-PDCCHでは、DL grantが1st slotに配置され、UL grantが2nd slotに配置される（非特許文献１参照）。DL grantを1st slotのみに配置することで、DL grantの復号遅延が短くなり、中継局はDLデータに対するＡＣＫ／ＮＡＣＫの送信(FDDでは、DL grantの受信から４サブフレーム後に送信される)に備えることができる。このようにして基地局からR-PDCCHを用いて送信された回線制御信号を、中継局は、基地局からhigher layer signalingによって指示されたリソース領域（つまり、「サーチスペース（Search Space）」）内でモニタすることにより、自局宛の回線制御信号を見つける。【０００８】
ここで、R-PDCCHに対応するサーチスペースは、higher layer signalingによって、基地局から中継局に通知される。【０００９】
LTE及びLTE-Advancedでは、１RB（Resource Block）は、周波数方向には１２個のサブキャリアを有し、時間方向には0.5msecの幅を有する。RBを時間方向で２つ組み合わせた単位は、RBペア（RB pair）と呼ばれる（例えば、図１参照）。つまり、RBペアは、周波数方向には１２個のサブキャリアを有し、時間方向には1msecの幅を有する。また、RBペアが周波数軸上の１２個のサブキャリアの塊を表す場合、RBペアは、単にRBと呼ばれることがある。また、物理レイヤでは、RPペアは、PRBペア（Physical RB pair）とも呼ばれる。また、１個のサブキャリアと１つのOFDMシンボルとにより規定される単位が、リソース要素（RE:Resource Element）である（図１参照）。【００１０】
また、RBにPDSCHが割り当てられる場合の割当リソースの単位は、RB単位の場合と、RBG（Resource block group）単位の場合がある。RBGとは、複数の隣接するRBをまとめた単位である。また、RBGのサイズ（RBG size）は、通信システムのバンド幅によって定められており、LTEではRBGサイズとして１、２、３、４が定義されている。【００１１】
また、PDCCHおよびR-PDCCHは、アグリゲーションレベルとしてレベル１、２、４、８の４つのレベルを有する(例えば、非特許文献１参照)。そして、レベル１、２、４、８は、６、６、２、２種類の「マッピング候補」をそれぞれ有する。ここで、マッピング候補とは、制御信号がマッピングされる領域の候補であり、複数のマッピング候補によってサーチスペースが構成される。１つの端末に対して１つのアグリゲーションレベルが設定されると、そのアグリゲーションレベルが有する複数のマッピング候補の内の１つに、制御信号が実際にマッピングされる。図２は、R-PDCCHに対応するサーチスペースの一例を示す図である。各楕円は、各アグリゲーションレベルのサーチスペースを示している。各アグリゲーションレベルの各サーチスペースにおける複数のマッピング候補は、VRB(Virtual Resource Block)においては連続的に配置される。そして、VRBにおける各リソース領域候補は、上位レイヤのシグナリングによって、PRB(Physical Resource Block)にマッピングされる。【００１２】
ePDCCHに対応するサーチスペースは、端末個別に設定されることが検討されている。またePDCCHの設計については、上記したR-PDCCHの設計の一部を使うこともできるし、R-PDCCHの設計と全く異なる設計とすることもできる。実際に、ePDCCHの設計とR-PDCCHの設計とを異なるものにすることも検討されている。【００１３】
上記の通り、R-PDCCH領域では、DL grantは第１スロットにマッピングされ、UL grantは第２スロットにマッピングされる。すなわち、DL grantがマッピングされるリソースと、UL grantがマッピングされるリソースとは、時間軸で分割されている。これに対して、ePDCCHでは、DL grantがマッピングされるリソースとUL grantがマッピングされるリソースとが周波数軸(つまり、サブキャリア又はPRBペア)で分割されること、及び、RBペア内のREを複数のグループに分割することも検討されている。【００１４】
また、LTE-Advancedでは、帯域拡張機能（CA：Carrier Aggregation）がサポートされている。CAは、LTE-Advancedにおいて新規に導入された機能であり、Component Carrier（CC）と呼ばれるLTEのシステム帯域を複数束ねることにより最大伝送レートの向上を実現する（非特許文献２参照）。端末が複数のCCを用いる場合、１つのCCがPrimary Cell（PCell）として設定され、残りのCCがSecondary CC（SCell）として設定される。PCell及びSCellの設定は端末毎に異なってもよい。【００１５】
さらに、LTE-Advancedでは、PDCCHにおいてCC単位でセル間干渉制御を行うクロスキャリアスケジューリングと呼ばれるリソース割当方法が導入されている。クロスキャリアスケジューリングでは、基地局は、回線品質が良好なCCのPDCCH領域で他のCCのDL grant及びUL grantを送信することができる（例えば、図３参照）。クロスキャリアスケジューリングを適用すると、隣接するセル間で異なるCCからPDCCHを送信することにより、PDCCHのセル間干渉を低減できる。【００１６】
クロスキャリアスケジューリングでは、CC毎にリソース割当情報が送信されるため、割当CC数に比例してPDCCHが増加する。したがって、CC数が増加するほど、各サーチスペースが他端末間で重複し、ブロッキング（衝突）発生率が高くなる。さらに、他端末間でのブロッキングだけでなく、１つの端末宛の異なるCCのPDCCH間でもブロッキングが発生する可能性がある。１つの端末のPDCCH間でのブロッキングは、同一端末に同時割当可能なCC数を制限し、端末あたりの最大伝送レートを制限してしまう。そのため、LTE-AdvancedのPDCCHでは、サーチスペースの算出の際、UE IDに加えて、CC毎に付与されるCIF（Carrier Indication Field）を用いることにより、各CC向けに互いに異なる連続するCCE領域をサーチスペースとして設定することが適用されている。【００１７】
また、ePDCCHの割当方法として、ePDCCHを周波数帯域上の互いに近い位置にまとめて割り当てる「ローカライズド（localized）割当」と、ePDCCHを周波数帯域上に分散させて割り当てる「ディストリビューテッド（distributed）割当」が検討されている（例えば、図４参照）。localized 割当は、周波数スケジューリングゲインを得るための割当方法であり、回線品質情報に基いて回線品質の良いリソースにePDCCHを割り当てることができる。distributed割当は、周波数軸上にePDCCHを分散させて周波数ダイバーシチゲインを得ることができる。LTE-Advancedでは、localized割当用のサーチスペース及びdistributed割当用のサーチスペースの双方を設定することが考えられる（例えば、図４参照）。【００１８】
また、ePDCCHでは、各PRBペアを複数のリソースに分割することが検討されている。PRBペア内で分割されたリソースをeCCE（enhanced control channel elements）又はeREG（enhanced resource element group）と呼ぶことがある。なお、以下の説明では、eCCEを単に「CCE」と呼ぶこともある。PDCCHでは、１つのCCEを構成するRE数は36REsに固定に設定されているが、ePDCCHでは、１つのCCEを構成するRE数は分割方法によって可変とする。分割方法として、サブキャリア単位で分割する方法、又は、リソース（RE）のグループを生成して分割する方法が考えられる。図５は、複数のPRBペアがePDCCHのサーチスペースに設定されており、各PRBペアをサブキャリア単位で４つのCCEに分割した例を示す。図５において、各PRBペアで分割されたCCEのそれぞれを、CCE#(4N)、CCE#(4N+1)、CCE#(4N+2)、CCE#(4N+3)と呼ぶ（ただし、N＝0,1,2,3）。
【先行技術文献】
【非特許文献】
【００１９】
【非特許文献１】3GPP TS 36.216 V10.1.0  "Physical layer for relaying operation"
【非特許文献２】3GPP TS 36.213 V10.4.0   "Physical layer procedures"
【発明の概要】
【発明が解決しようとする課題】
【００２０】
上述したePDCCHにおいてもクロスキャリアスケジューリングの適用が考えられる。しかし、ePDCCHにおけるクロスキャリアスケジューリングの適用についてはこれまで検討されてこなかった。【００２１】
本発明の目的は、ePDCCHにおいてクロスキャリアスケジューリングを適切に行うことができる送信装置、受信装置、送信方法、及び受信方法を提供することである。
【課題を解決するための手段】
【００２２】
本発明の一態様の送信装置は、複数のコンポーネントキャリア（CC：Component Carrier）を用いて通信を行う際、第１CC内のデータ割当可能領域に含まれる複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定する設定手段と、前記第１サーチスペースおよび前記第２サーチスペースの各々にマッピングされた制御情報を送信する送信手段と、を具備する構成を採る。【００２３】
本発明の一態様の受信装置は、複数のコンポーネントキャリア（CC：Component Carrier）を用いて通信を行う際、第１CC内のデータ割当可能領域に含まれる、複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定する設定手段と、前記第１サーチスペースおよび前記第２サーチスペースの各々にマッピングされた制御情報を受信する受信手段と、を具備する構成を採る。【００２４】
本発明の一態様の送信方法は、複数のコンポーネントキャリア（CC：Component Carrier）を用いて通信を行う際、第１CC内のデータ割当可能領域に含まれる、複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定し、前記第１サーチスペースおよび前記第２サーチスペースの各々にマッピングされた制御情報を送信する。【００２５】
本発明の一態様の受信方法は、複数のコンポーネントキャリア（CC：Component Carrier）を用いて通信を行う際、第１CC内のデータ割当可能領域に含まれる、複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定し、前記第１サーチスペースおよび前記第２サーチスペースの各々にマッピングされた制御情報を受信する。
【発明の効果】
【００２６】
本発明によれば、ePDCCHにおいてクロスキャリアスケジューリングを適切に行うことができる。
【図面の簡単な説明】
【００２７】
【図１】PRBペアの説明に供する図
【図２】R-PDCCHに対応するサーチスペースの一例を示す図
【図３】Non cross carrier schedulingおよびCross carrier schedulingを示す図
【図４】ePDCCHのlocalized割当及びdistrivuted割当の一例を示す図
【図５】ePDCCHの分割の説明に供する図
【図６】本発明の実施の形態１に係る基地局の要部構成を示すブロック図
【図７】本発明の実施の形態１に係る端末の要部構成を示すブロック図
【図８】本発明の実施の形態１に係る基地局の構成を示すブロック図
【図９】本発明の実施の形態１に係る端末の構成を示すブロック図
【図１０】本発明の実施の形態１に係るサーチスペース設定を示す図
【図１１】本発明の実施の形態１に係るPRB bundlingを考慮したサーチスペース設定を示す図
【図１２】本発明の実施の形態２に係るアンテナポートとDMRSの送信電力との関係を示す図
【図１３】本発明の実施の形態２に係るサーチスペース設定を示す図
【図１４】本発明の実施の形態２に係るその他のサーチスペース設定を示す図
【図１５】本発明の実施の形態３に係るサーチスペース設定を示す図
【図１６】本発明のバリエーションに係るサーチスペース設定を示す図
【発明を実施するための形態】
【００２８】
以下、本発明の実施の形態について図面を参照して詳細に説明する。なお、実施の形態において、同一の構成要素には同一の符号を付し、その説明は重複するので省略する。
【００２９】
［実施の形態１］
［通信システムの概要］
本実施の形態に係る通信システムは、送信装置と受信装置とを有する。特に、本実施の形態では、送信装置を基地局１００とし、受信装置を端末２００として説明する。この通信システムは、例えば、LTE-Advancedシステムである。そして、基地局１００は、例えば、LTE-Advancedシステムに対応する基地局であり、端末２００は、例えば、LTE-Advancedシステムに対応する端末である。
【００３０】
図６は、本実施の形態に係る基地局１００の要部構成を示すブロック図である。
【００３１】
基地局１００において、設定部１０２は、複数のCCを用いて通信を行う際、第１CC内のデータ割当可能領域（PDSCH領域）に含まれる、複数の割当単位群（ここではRBG）のうちの同一の割当単位群内に、第１CC用の制御情報（DL assignment及びUL grant等）を割り当てる候補である第１サーチスペースと、複数のCCのうちの第１CC以外の第２CC用の制御情報を割り当てる候補である第２サーチスペースとを設定する。
【００３２】
送信部１０６は、設定部１０２で設定された上記第１サーチスペースおよび第２サーチスペースの各々にマッピングされた制御情報を送信する。
【００３３】
図７は、本実施の形態に係る端末２００の要部構成を示すブロック図である。
【００３４】
端末２００において、設定部２０５は、複数のCCを用いて通信を行う際、第１CC内のデータ割当可能領域（PDSCH領域）に含まれる、複数の割当単位群（ここではRBG）のうちの同一の割当単位群内に、第１CC用の制御情報（DL assignment及びUL grant等）を割り当てる候補である第１サーチスペースと、複数のCCのうちの第１CC以外の第２CC用の制御情報を割り当てる候補である第２サーチスペースとを設定する。
【００３５】
制御信号受信部２０６は、設定部２０５で設定された上記第１サーチスペースおよび第２サーチスペースの各々にマッピングされた制御情報を抽出する。これにより、基地局１００から送信された制御情報が受信される。
【００３６】
［基地局１００の構成］
図８は、本実施の形態に係る基地局１００の構成を示すブロック図である。図８において、基地局１００は、割当情報生成部１０１と、設定部１０２と、誤り訂正符号化部１０３と、変調部１０４と、信号割当部１０５と、送信部１０６と、受信部１０７と、復調部１０８と、誤り訂正復号部１０９とを有する。
【００３７】
割当情報生成部１０１は、送信すべき下り回線データ信号（DLデータ信号）、及び、上り回線（UL）に割り当てる上り回線データ信号（ULデータ信号）が有る場合、データ信号を割り当てるリソース（RB）を決定し、割当情報(DL assignmentおよびUL grant)を生成する。DL assignmentは、DLデータ信号の割当に関する情報を含む。UL grantは、端末２００から送信されるULデータ信号の割当リソースに関する情報を含む。DL assignmentは信号割当部１０５へ出力され、UL grantは受信部１０７へ出力される。
【００３８】
設定部１０２は、クロスキャリアスケジューリング情報に基づいて、ePDCCHを使用する端末２００の各々に対してPCellおよびSCellのサーチスペースを設定する。サーチスペースは複数のマッピング候補によって構成される。各「マッピング候補」はアグリゲーションレベルの値と同数のCCEから構成される。また、「CCE」は、各PRBペアが所定数に分割されることによって得られる。また、クロスキャリアスケジューリング情報には、例えば、端末２００の各々に対して設定されるPCellおよびSCellに関する情報が含まれる。
【００３９】
例えば、設定部１０２は、端末２００に設定するPCellのサーチスペース（サーチスペースに使用されるCCEおよびRB）を決定する。また、当該端末２００に対してクロスキャリアスケジューリングが設定される場合、設定部１０２は、PCellのサーチスペース、予め保持している計算式、および、SCellを識別可能な値（例えばCIF）から、SCellのサーチスペースを決定する。上記計算式では、同一端末向けのePDCCHが同一RBGで送信されるように、同一RBG内のPRBペアが優先的にサーチスペースとして設定される。また、上記計算式では、同一CCから送信される制御情報がマッピングされ得る各CCのサーチスペースが衝突しないように、SCellのサーチスペースは、CIFを用いてPCellのサーチスペースが設定されたPRBペアからシフトされたPRBペアに設定される。設定部１０２におけるサーチスペース設定処理の詳細については後述する。
【００４０】
設定部１０２は、設定したサーチスペースに関する情報（以下では、「サーチスペース情報」と呼ばれることがある）を信号割当部１０５へ出力する。また、設定部１０２は、PCellのサーチスペースに設定されたPRBペアに関する情報を制御情報として誤り訂正符号化部１０３へ出力する。
【００４１】
誤り訂正符号化部１０３は、送信データ信号（DLデータ信号）、及び、設定部１０２から受け取る制御情報を入力とし、入力された信号を誤り訂正符号化し、変調部１０４へ出力する。
【００４２】
変調部１０４は、誤り訂正符号化部１０３から受け取る信号に対して変調処理を施し、変調後のデータ信号を信号割当部１０５へ出力する。
【００４３】
信号割当部１０５は、割当情報生成部１０１から受け取る割当情報（DL assignment及びUL grant）を、設定部１０２から受け取るサーチスペース情報に示されるCCE（マッピング候補単位のCCE）のうちのいずれかに割り当てる。また、信号割当部１０５は、変調部１０４から受け取るデータ信号を、割当情報生成部１０１から受け取る割当情報（DL assignment）に対応する下り回線リソースに割り当てる。
【００４４】
こうして割当情報及びデータ信号が所定のリソースに割り当てられることにより、送信信号が形成される。形成された送信信号は、送信部１０６へ出力される。
【００４５】
送信部１０６は、入力信号に対してアップコンバート等の無線送信処理を施し、アンテナを介して端末２００へ送信する。
【００４６】
受信部１０７は、端末２００から送信された信号をアンテナを介して受信し、復調部１０８へ出力する。具体的には、受信部１０７は、割当情報生成部１０１から受け取ったUL grantが示すリソースに対応する信号を受信信号から分離し、分離された信号に対してダウンコンバート等の受信処理を施した後に復調部１０８へ出力する。
【００４７】
復調部１０８は、入力信号に対して復調処理を施し、得られた信号を誤り訂正復号部１０９へ出力する。
【００４８】
誤り訂正復号部１０９は、入力信号を復号し、端末２００からの受信データ信号を得る。
【００４９】
［端末２００の構成］
図９は、本実施の形態に係る端末２００の構成を示すブロック図である。図９において、端末２００は、受信部２０１と、信号分離部２０２と、復調部２０３と、誤り訂正復号部２０４と、設定部２０５と、制御信号受信部２０６と、誤り訂正符号化部２０７と、変調部２０８と、信号割当部２０９と、送信部２１０とを有する。
【００５０】
受信部２０１は、基地局１００から送信された信号をアンテナを介して受信し、ダウンコンバート等の受信処理を施した後に信号分離部２０２へ出力する。
【００５１】
信号分離部２０２は、受信部２０１から受け取る受信信号のうち、リソース割当に関する制御信号を抽出し、抽出された信号を制御信号受信部２０６へ出力する。また、信号分離部２０２は、制御信号受信部２０６から出力されたDL assignmentが示すデータリソースに対応する信号（つまり、DLデータ信号）を受信信号から抽出し、抽出された信号を復調部２０３へ出力する。
【００５２】
復調部２０３は、信号分離部２０２から出力された信号を復調し、当該復調された信号を誤り訂正復号部２０４へ出力する。
【００５３】
誤り訂正復号部２０４は、復調部２０３から出力された復調信号を復号し、得られた受信データ信号を出力する。誤り訂正復号部２０４は、特に、基地局１００から制御信号として送信された、「PCellのサーチスペースに設定されたPRBペアに関する情報」を設定部２０５へ出力する。
【００５４】
設定部２０５は、クロスキャリアスケジューリング情報に基づいて、ePDCCHを使用する自機（端末２００）に設定されたサーチスペースを特定する。例えば、設定部２０５は、まず、誤り訂正復号部２０４から受け取る情報に基づいて、PCellのサーチスペースに設定するPRBペアを特定する。次いで、設定部２０５は、PCellのサーチスペース、予め保持している計算式、および、SCellを識別可能な値（例えばCIF）から、SCellのサーチスペースを特定する。上記計算式は、基地局１００と端末２００との間で共有される。すなわち、設定部２０５は、設定部１０２と同様にして、自機のサーチスペースを設定する。設定部２０５は、サーチスペースとして設定されたPRBペアおよびCCEに関する情報を制御信号受信部２０６へ出力する。なお、設定部２０５におけるサーチスペース設定処理の詳細については後述する。
【００５５】
制御信号受信部２０６は、信号分離部２０２から受け取る信号成分において、設定部２０５から受け取る情報に示されるCCEに対してブラインド復号を行うことにより、自機宛の制御信号（DL assignment又はUL grant）を検出する。すなわち、制御信号受信部２０６は、設定部２０５で設定されたサーチスペースを構成する複数のマッピング候補の内の１つにマッピングされた制御信号を受信する。制御信号受信部２０６は、検出した自機宛のDL assignmentを信号分離部２０２へ出力し、検出した自機宛のUL grantを信号割当部２０９へ出力する。
【００５６】
誤り訂正符号化部２０７は、送信データ信号（ULデータ信号）を入力とし、その送信データ信号を誤り訂正符号化し、変調部２０８へ出力する。
【００５７】
変調部２０８は、誤り訂正符号化部２０７から出力された信号を変調し、変調信号を信号割当部２０９へ出力する。
【００５８】
信号割当部２０９は、変調部２０８から出力された信号を、制御信号受信部２０６から受け取るUL grantに従って割り当て、送信部２１０へ出力する。
【００５９】
送信部２１０は、入力信号に対してアップコンバート等の送信処理を施し、送信する。
【００６０】
［基地局１００及び端末２００の動作］
以上の構成を有する基地局１００及び端末２００の動作について説明する。
【００６１】
以下の説明では、端末２００に対して複数のCCが設定されているとする。また、端末２００宛の制御信号（DL assignment又はUL grant）の割当リソースとしてePDCCHが使用され、当該ePDCCHに対してクロスキャリアスケジューリングが設定（configure）されているとする。また、クロスキャリアスケジューリングにおいて、端末２００に設定された各CC用の制御信号が割り当てられるCCをPCellとする。つまり、PCellには、端末２００宛のPCell用の制御情報が割り当てられるサーチスペース、および、SCell用の制御情報が割り当てられるサーチスペースがそれぞれ設定される。
【００６２】
ここで、ePDCCHでは、PDCCHの場合と同様、各CCのePDCCH間のブロッキングを軽減する必要がある。さらに、ePDCCHは、PDSCH領域（データ割当可能領域）に配置されるので、ePDCCH間のブロッキングに加え、PDSCHとのブロッキングも軽減する必要がある。
【００６３】
上述したように、PDSCHはRBG単位で割り当てられる。よって、基地局１００では、ePDCCHとして使用されるPRBペアを含むRBGには、ePDCCHの存在を認識できない端末、例えばrel.8,9,10の端末にPDSCHとしてデータを割り当てることができない。このため、ePDCCHに使用されるPRBペアを含むRBGをより少なくし、PDSCHとして使用できるRBGをより多く確保することが望ましい。
【００６４】
そこで、本実施の形態では、基地局１００の設定部１０２は、ePDCCHに対してクロスキャリアスケジューリングを適用する際、端末２００に設定された複数のCCのePDCCHのサーチスペースを同一RBG内に優先的に設定する。具体的には、設定部１０２は、端末２００に設定されたPCell内のPDSCH領域に含まれる複数のRBGのうち、同一RBG内にPCell用のePDCCHのサーチスペースおよびSCell用のePDCCHのサーチスペースを設定する。その際、設定部１０２は、上記同一RBG内の異なるPRBペアを、PCell用のePDCCHのサーチスペースおよびSCell用のePDCCHのサーチスペースにそれぞれ設定する。
【００６５】
本実施の形態におけるクロスキャリアスケジューリング時のサーチスペース設定例として、各CCに設定されたCIFの値（CIF番号）を用いる場合について説明する。
【００６６】
具体的には、設定部１０２は、同一RBG内において、PCellのサーチスペースに設定されたPRBペアを巡回シフトさせたPRBペア（上記PCellのサーチスペースに設定されたPRBペアとは異なるPRBペア）を、SCellのサーチスペースに設定する。この際、設定部１０２は、巡回シフト量として、各SCellに設定されたCIF番号を用いる。すなわち、設定部１０２は、基本となるCC（ここではPCell）のサーチスペースとして設定されたPRBペアが属するRBGと同一のRBG内において、PCellのPRBペアを各SCellに設定されたCIF番号分だけ巡回シフトさせたPRBペアを、当該CIF番号のSCellのサーチスペースに設定する。
【００６７】
また、設定部１０２は、巡回シフト量に相当するCIF番号（CIF＝0,1,2,…とする）がRBGサイズ（１RBGを構成するPRBペア数）以上の場合、PCellのサーチスペースが設定されたPRBペアが属するRBGに隣接する他のRBG内のPRBペアを、当該CIF番号のSCellのサーチスペースに設定する。すなわち、設定部１０２は、RBGサイズ以上のCIF番号に対応するSCellのサーチスペースを、PCellのサーチスペースが設定されたRBGに隣接するRBG内のRBにシフトする。
【００６８】
例えば、設定部１０２は、次式（１）に従って、SCellのサーチスペースを設定する。
【数１】
2013168389.tif 000003
【００６９】
式（１）において、nCLはCIF番号を示し（nCL=0,1,2,…）、NRB,nCLはCIF番号がnCLであるCCのサーチスペースのRB番号を示し、NRB,0は基本となるCCであるPCell（nCL=0）のサーチスペースのRB番号（PRBペアの番号）を示し、NRBG,0はPCell（nCL=0）のサーチスペースが設定されたRBG番号を示す。また、関数floor(x)は、数値xの小数点以下を切り捨てた値を返す関数を示し、演算子modはモジュロ演算を示す。
【００７０】
式（１）の第１項［floor(nCL/RBGsize)・RBGsize］は、CIF番号がnCLであるSCellのサーチスペースに対する、PCellからのRBG単位でのシフト量を表す。例えば、第１項の値が０であれば、PCellと同一RBG内にサーチスペースが設定される。
【００７１】
式（１）の第２項［NRBG,0・RBGsize］は、PCellのサーチスペースが設定されたRBG（RBG番号がNRBG,0）を構成するPRBペアのRB番号のうち最小のRB番号を表し、RB番号のシフト量の基準値となる。
【００７２】
式（１）の第３項［(NRB,0+nCL)mod(RBGsize)］は、CIF番号がnCLであるSCellのサーチスペースに対する、PCellのサーチスペース（NRB,0）に設定されたPRBペアに対応するRB番号からのRBG内でのシフト量を表す。
【００７３】
つまり、式（１）の第２項および第３項によって巡回シフトを表している。
【００７４】
これにより、クロスキャリアスケジューリング時の各CCのサーチスペースは、PCellのサーチスペースに設定されたPRBペアと同一のRBG内において、そのPRBペアをCIF番号分だけ巡回シフトさせた異なるPRBペアにそれぞれ設定される。また、CIF番号がRBGサイズ以上の場合には、当該CIF番号のSCellのサーチスペースは、PCellのサーチスペースが設定されたRBGに隣接するRBG内のPRBペアに設定される。
【００７５】
図１０は、端末２００に対してPCellと２つのSCellとが設定された場合のクロスキャリアスケジューリング時におけるサーチスペース設定例を示す。
【００７６】
図１０では、RBGサイズを３とし（RBGsize=3）、一方のSCellのCIF番号を１とし（CIF=1）、他方のSCellのCIF番号を３とする（CIF=3）。また、図１０では、アグリゲーションレベルを４とする。また、図１０に示すように、PCell（CIF=0）のサーチスペースは、RBG#0に属するRB#1（CCE0〜CCE3）、および、RBG#2に属するRB#7（CCE4〜CCE７）に設定されている。
【００７７】
まず、CIF=1（RBGサイズ（=3）未満）のSCellについて説明する。図１０に示すように、設定部１０２は、PCellのサーチスペースが設定されたRB#1およびRB#7をCIF番号分（つまり、１RB）だけ巡回シフトさせたRB#2およびRB#8を、CIF=1のSCellのサーチスペースに設定する。図１０に示すように、PCellのサーチスペースに設定されたPRBペア（RB#1、RB#7）と、CIF=1のSCellのサーチスペースに設定されたPRBペア（RB#2、RB#8）とは、同一RBG（RBG#0、RBG#2）内に設定され、かつ、互いに異なる。
【００７８】
次いで、CIF=3（RBGサイズ（=3）以上）のSCellについて説明する。図１０に示すように、設定部１０２は、CIF=3のSCellのサーチスペース設定の際、PCellのサーチスペースが設定されたRB#1およびRB#7をCIF番号分（つまり、3RB）だけ巡回シフトさせる。ただし、CIF番号（=3）はRBGサイズ（RBGsize=3）以上であるので、設定部１０２は、PCellのサーチスペースが設定されたRBG#0、RBG#2に隣接するRBG#1、RBG#3内に、CIF=3のSCellのサーチスペースを設定する。すなわち、設定部１０２は、RBG#1に属するRB#4、および、RBG#3に属するRB#10を、CIF=3のSCellのサーチスペースに設定する。
【００７９】
すなわち、図１０に示すように、RBGサイズ未満のCIF番号（CIF=1,2）のSCellのサーチスペースは、PCell（CIF=0）のサーチスペースが設定されたPRBペアが属するRBG内で巡回シフトされた異なるPRBペアにそれぞれ設定される。一方、RBGサイズ以上のCIF番号（CIF=3,4）のSCellのサーチスペースは、PCell（CIF=0）のサーチスペースが設定されたPRBペアが属するRBGに隣接するRBG内に設定される。その際、図１０に示すように、SCellのサーチスペースは、上記隣接するRBG内において、PCellのサーチスペースが設定されたRBG#0内におけるRB#1（およびRBG#2のRB#7）の位置（つまり、RBG内の最小RB番号から２番目のRB）に対応するPRBペア（RBG#1のRB#4、および、RBG3のRB#10）を始点として巡回シフトされたPRBペアにそれぞれ設定される。
【００８０】
図１０に示す丸囲み数字‘０’〜‘４’は、PCellのサーチスペースに設定されたPRBペア（丸囲み数字‘０’。図１０ではRB#1に対応）を基準とする巡回シフトパターン（シフト順序）を表す。
【００８１】
一方、端末２００の設定部２０５は、設定部１０２と同様にして、端末２００に設定された各CCのサーチスペースを特定する。具体的には、設定部２０５は、まず、PCellのサーチスペースに設定されたPRBペアに関する情報（例えば、RBG番号およびRB番号）を基地局１００から取得する。次いで、設定部２０５は、PCellのサーチスペースに設定されたPRBペアを各SCellに設定されたCIFの番号（CIF番号）分だけ巡回シフトさせたPRBペアを、当該SCellのサーチスペースに設定する。また、設定部２０５は、CIF番号がRBGサイズ以上の場合には、PCellのサーチスペースに設定されたPRBペアが属するRBGに隣接するRBG内に、当該SCellのサーチスペースを設定する。例えば、設定部２０５は、PCellのサーチスペースに設定されたRB、および、予め保持している計算式（式（１））に基づいて、SCellのサーチスペースを設定する。
【００８２】
以上のように、本実施の形態では、基地局１００および端末２００は、複数のCCを用いて端末２００と通信を行う際、PCell内のPDSCH領域に含まれる、複数のPRBペアから各々が構成される複数のRBGのうちの同一のRBG内に、PCell用の制御情報を割り当てる候補であるサーチスペースと、SCell（PCell以外のCC）用の制御情報を割り当てる候補であるサーチスペースとを設定する。
【００８３】
このようにして、クロスキャリアスケジューリング時のePDCCHのサーチスペースがRBG単位で設定され易くなることで、PDSCH領域において、データを割当可能なRBGをより多く確保することができる。すなわち、本実施の形態によれば、RBG単位で割り当てられるPDSCHと、ePDCCHのサーチスペースとのブロッキング発生率を低減することができる。
【００８４】
また、本実施の形態では、基地局１００および端末２００は、各CCのePDCCHのサーチスペースとして、同一RBG内の異なるPRBペアをそれぞれ設定する。こうすることで、各CCの同一アグリゲーションレベルのePDCCH間でのブロッキング発生率を低減することができる。
【００８５】
また、本実施の形態によれば、PCellのサーチスペースに基づいて、他のCC（SCell）のサーチスペースが設定されるので、CC毎にサーチスペースを個別に設定する場合と比較して、サーチスペースの設定に必要となる上位レイヤのビット数を削減することができる。さらに、本実施の形態では、サーチスペース設定の際、PCellのサーチスペースからの巡回シフト量を決定するパラメータとして、既存のパラメータである各CCのCIF番号を用いる。これにより、サーチスペース設定のためのパラメータを新たに使用する必要が無いので、サーチスペースの設定に必要となるビット数の増加を抑えることができる。
【００８６】
また、本実施の形態によれば、CIF番号がRBGサイズ以上の場合、当該CIF番号のSCellのサーチスペースを、PCellのサーチスペースが設定されたRBGに隣接するRBG内のRBにシフトさせる。これにより、CIF番号がRBGサイズ以上であり、PCellのサーチスペースと同一RBG内に当該SCellのサーチスペースを設定できない場合でも、当該SCellのサーチスペースを、PCellのサーチスペースと比較的同一の回線品質が予想されるリソースに設定することができる。端末２００に設定される複数のCCに対応するサーチスペースを、回線品質が同程度であるリソースに設定することで、各CCにおいて選択されるアグリゲーションレベルおよび送信方法（例えば送信ダイバーシチの有無）等をCC間で揃えることができるので、基地局１００のスケジューリング処理が容易になる。
【００８７】
このようにして、本実施の形態によれば、ePDCCHにおいてもクロスキャリアスケジューリングを適切に行うことができる。
【００８８】
なお、本実施の形態では、RBGサイズが３の場合について説明したが、RBGサイズは３に限定されない。
【００８９】
例えば、RBGサイズを４としてもよい。さらに、RBGサイズが４の場合、PRBバンドリング（PRB bundling）の単位を考慮して、PCellのサーチスペースに対するシフトパターンを決定してもよい。PRBバンドリングとは、参照信号として、端末毎に異なるビームを向けることのできるDMRS（DeModulation Reference Signal）を使用する場合に、隣接する複数のPRBペアにおいて同一プリコーディングを使用し、チャネル推定精度を向上させる技術である。同一プリコーディングを使用する単位（PRBバンドリング単位）はPRG（Precoding Resource block Group）と呼ばれる。PRGのサイズ（PRGサイズ）は、RBGサイズと同様、システム帯域幅に含まれるPRBペアの数によって異なる値が設定される。例えば、RBGサイズが４または２の場合、PRGサイズは２であり、RBGサイズが３の場合、PRGサイズは３である。したがって、RBGサイズが４の場合、同一RBG内に含まれる４つのPRBペアが２つのPRBペア毎に１つのPRGを構成する（図１１参照）。したがって、同一RBG内の２つのPRBペアのみがePDCCHに使用され、残りの２つのPRBペアがPDSCHに割り当てられる場合には、同一プリコーディングを仮定できるPRGに属する２つのPRBペアをPDSCHに割り当てることが望ましい。
【００９０】
そこで、基地局１００および端末２００は、例えばRBGサイズが４の場合には、PCellのサーチスペースに設定されたPRBペアが属するPRG内のPRBペアを優先して、SCellのサーチスペースを設定すればよい。つまり、基地局１００および端末２００は、同一PRGを構成する２個のPRBペアのうち一方のPRBペアをPCellのサーチスペースに設定し、他方のPRBペアをSCellのサーチスペースに設定する。
【００９１】
例えば、基地局１００および端末２００は、PCellのサーチスペースに設定されたPRBペアを、当該PRBペアが属するPRG内で優先してシフトさせた後に、当該PRBペアが属するRBG内でシフトさせるように、RBのシフトの順番（シフトパターン）を設定してもよい。図１１では、PCell（CIF=0）のサーチスペースに設定されたPRBペアが属するPRG内のPRBペアが、CIF=1のSCellのサーチスペースに設定される。次いで、PCell（CIF=0）のサーチスペースに設定されたPRBペアが属するPRG以外のPRBペアであって、PCell（CIF=0）のサーチスペースに設定されたPRBペアが属するRBG内のPRBペアが、CIF=2,3のSCellのサーチスペースに設定される。なお、図１１に示す２つの図は何れもPCellの下り回線で送信される信号が配置されるリソース（つまり、同一リソース）を示している。つまり、図１１は、説明の便宜上、１つのCC（PCell）内に設定される各CCのサーチスペースをCC毎にそれぞれ分けて示している。また、図１１に示す丸囲み数字‘０’〜‘３’は、PCellのサーチスペースに設定されたPRBペア（丸囲み数字‘０’）を基準とする巡回シフトパターンを表す。
【００９２】
また、本実施の形態では、RBGを考慮してサーチスペースを設定する場合について説明したが、これに限らず、例えば、Subband CQIの報告時に用いられるSubbandの単位を考慮してサーチスペースを設定してもよい。ここで、Subbandの単位は、端末が基地局へ回線品質を報告する際に回線品質を平均化するPRBペアの単位である。例えば、Subbandは６個のPRBペアで構成される。例えば、リソース割当方法がlocalized割当（localized allocation）の場合、基地局は回線品質報告に基づいてePDCCHを送信するPRBペアを決定することができる。また、回線品質のフィードバックがSubband単位の場合、同一Subbandに属するPRBペアは基地局側では同一の回線品質とみなされる。そこで、基地局１００および端末２００は、複数のCCの各サーチスペースを同一Subband内（すなわち、同一Subband内の異なるPRBペア）に設定してもよい。すなわち、基地局１００および端末２００は、同一RBG内よりも優先して同一Subband内のPRBペア内において、PCellのサーチスペースに設定されたPRBペアを巡回シフトさせて、SCellのサーチスペースを設定してもよい。こうすることで、複数のCCのePDCCHを同一回線品質が予想されるRBにそれぞれ配置できるので、各CCのePDCCH間で受信品質のばらつきがなくなり、ePDCCHのアグリゲーションレベルの選択をCC毎に変える必要がなくなる。
【００９３】
また、本実施の形態では、PCellのサーチスペースに設定されたPRBペアに対する巡回シフトによってSCellのサーチスペースを設定する場合について説明したが、SCellのサーチスペース設定は巡回シフトを用いる場合に限定されない。すなわち、PCellのサーチスペースに設定されたPRBペアに対して、同一RBGに属する互いに異なるPRBペアがSCellのサーチスペースに優先的に設定されるような方法であればよい。
【００９４】
［実施の形態２］
本実施の形態は、参照信号の電力に着目したサーチスペース設定方法に関する。なお、本実施の形態に係る基地局及び端末は、実施の形態１に係る基地局１００及び端末２００と基本構成が共通するので、図８，９を援用して説明する。
【００９５】
LTE-Advancedでは、端末毎にプリコーディングを変えられるDMRS（DeModulation Reference Signal）を参照信号として、ePDCCHを復調することが検討されている。DMRSが割り当てられる複数のアンテナポートを同一PRBペア内に設定することで（例えば図１参照）、MIMO（Multiple Input Multiple Output）送信を適用することができる。
【００９６】
また、LTE-Advancedでは、複数の端末宛のePDCCHを同一PRBペアに多重して送信することが検討されている。このとき、端末毎に異なるプリコーディングを適用すると、異なるアンテナポートに割り当てられたDMRSをそれぞれ送信する必要がある。
【００９７】
しかしながら、同一PRBペアにおいて複数のアンテナポートからDMRSを送信する場合には、各アンテナポートの送信電力を減らさなければならないという課題がある。図１２はアンテナポートとDMRSの送信電力との関係を示す。図１２Ａは、PRBペア内の全てのCCE（CCE0〜CCE3）が同一端末（UE#0）に割り当てられ、アンテナポート７（port7）のみが使用される場合を示す。図１２Ｂは、PRBペア内の全てのCCE（CCE0〜CCE3）が異なる端末（UE#0〜UE#3）にそれぞれ割り当てられ、アンテナポート７，８，９，１０がそれぞれ使用される場合を示す。図１２Ａおよび図１２Ｂでは全アンテナポートの総送信電力を一定とする。
【００９８】
図１２Ａに示すように、アンテナポート７のみを使用する場合には、図１２Ｂに示すアンテナポート７，８，９，１０を使用する場合と比較して、アンテナポート（port7）あたりのDMRSの送信電力を４倍にして使用することができる。すなわち、同一PRBペア内では、端末数が少ないほど、使用されるアンテナポート数がより少なくなり、パワーブースティングによる送信電力の増加が可能となる。
【００９９】
DMRSの受信品質は、チャネル推定精度を向上させるために非常に重要であり、DMRSの送信電力を増加させることは、ePDCCHの受信品質向上に対して効果的である。
【０１００】
そこで、本実施の形態では、ePDCCHに対してクロスキャリアスケジューリングを適用する際、基地局１００の設定部１０２は、端末２００に設定された複数のCCのePDCCHのサーチスペース（CCE）を同一PRBペア内に優先的に設定する。具体的には、設定部１０２は、端末２００に設定されたPCell内のPDSCH領域に含まれる複数のPRBペアのうち、同一PRBペア内にPCell用のePDCCHのサーチスペースおよびSCell用のePDCCHのサーチスペースを設定する。その際、設定部１０２は、上記同一PRBペア内の異なるCCE（eREG）を、PCell用のePDCCHのサーチスペースおよびSCell用のePDCCHのサーチスペースにそれぞれ設定する。
【０１０１】
更に、設定部１０２は、複数のCCのePDCCHのサーチスペースを同一PRBペア内に設定する場合、各CCのePDCCHの参照信号として、同一アンテナポートに割り当てられるDMRSを設定する。
【０１０２】
本実施の形態におけるクロスキャリアスケジューリング時のサーチスペース設定例として、実施の形態１と同様、各CCに設定されたCIF番号を用いる場合について説明する。
【０１０３】
具体的には、設定部１０２は、同一PRBペア内において、PCellのサーチスペースに設定されたCCEを巡回シフトさせたCCE（上記PCellのサーチスペースに設定されたCCEとは異なるCCE）を、SCellのサーチスペースに設定する。この際、設定部１０２は、巡回シフト量として、各SCellに設定されたCIF番号を用いる。すなわち、設定部１０２は、基本となるCC（ここではPCell）のサーチスペースとして設定されたCCEと同一のPRBペア内において、PCellのCCEを各SCellに設定されたCIF番号分だけ巡回シフトさせたCCEを、当該CIF番号のSCellのサーチスペースに設定する。
【０１０４】
また、設定部１０２は、巡回シフト量に相当するCIF番号（CIF＝0,1,2,…とする）がPRBペアを構成するCCE数以上の場合、PCellのサーチスペースが設定されたCCEが属するPRBペアに隣接する他のPRBペア内のCCEを、当該CIF番号のSCellのサーチスペースに設定する。すなわち、設定部１０２は、PRBペアが構成するCCE数以上のCIF番号に対応するSCellのサーチスペースを、PCellのサーチスペースが設定されたPRBペアに隣接するPRBペア内のCCEにシフトする。
【０１０５】
例えば、設定部１０２は、式（２）と式（３）とに従って、SCellのサーチスペースを設定する。なお、式（２）はサーチスペースが設定されるCCEが配置されるeREGの番号（eREG番号）を示し、式（３）はサーチスペースが設定されるPRBペアの番号（RB番号）を示す。なお、本実施の形態では、eREG番号は、１PRBペア内で付与される番号として定義し、eREGサイズは、１PRBペアあたりのeREG分割数とする。したがって、eREG分割数がKの場合、eREG番号は#0〜#(K-1)となる。
【数２】
2013168389.tif 000004
【数３】
2013168389.tif 000005
【０１０６】
式（２）および式（３）において、nCLはCIF番号を示し（nCL=0,1,2,…）、NRB,nCLはCIF番号がnCLであるCCのサーチスペースのRB番号を示し、NRB,0は基本となるCCであるPCell（nCL=0）のサーチスペースのRB番号を示し、NRBG,0はPCell（nCL=0）のサーチスペースが設定されたRBG番号を示し、NeREG,0はPCell（nCL=0）のサーチスペースが設定されたeREG番号を示し、NeREG,nCLはCIF番号がnCLであるCCのサーチスペースが設定されたeREG番号を示す。また、eREGsizeは１PRBペアあたりのeREGの分割数であり、ここでは１PRBペアあたりのCCE数（CCE分割数）と同数とする。また、関数floor(x)は、数値xの小数点以下を切り捨てた値を返す関数を示し、演算子modはモジュロ演算を示す。
【０１０７】
これにより、クロスキャリアスケジューリング時の各CCのサーチスペースは、PCellのサーチスペースに設定されたCCEが属するPRBペア内において、そのCCEに対応するeREGをCIF番号分だけ巡回シフトさせた異なるeREGにそれぞれ設定される。また、CIF番号が１PRBペアを構成するCCE数（eREG分割数）以上の場合には、当該CIF番号のSCellのサーチスペースは、PCellのサーチスペースが設定されたPRBペアに隣接するPRBペア内のCCE（eREG）に設定される。
【０１０８】
図１３は、端末２００に対してPCellと２つのSCellとが設定された場合のクロスキャリアスケジューリング時におけるサーチスペース設定例を示す。なお、図１３に示す３つの図は何れもPCellの下り回線で送信される信号が配置されるリソース（つまり、同一リソース）を示している。つまり、図１３は、説明の便宜上、１つのCC（PCell）内に設定される、３つのCCのサーチスペースをCC毎にそれぞれ分けて示している。
【０１０９】
図１３では、一方のSCellのCIF番号を１とし（CIF=1）、他方のSCellのCIF番号を４とする（CIF=4）。また、図１３では、アグリゲーションレベルを１とする。また、図１３では、１PRBペアあたりのeREG数（eREG分割数）を４とする（eREGsize=4）。また、図１３に示すように、PCell（CIF=0）のサーチスペースは、RB#1に属するeREG#0（CCE0）、RB#4に属するeREG#1（CCE5）、RB#7に属するeREG#2（CCE10）、および、RB#10に属するeREG#3（CCE15）に設定されている。
【０１１０】
まず、CIF=1（eREG分割数４未満）のSCellについて説明する。図１３に示すように、設定部１０２は、PCellのサーチスペースが設定されたRB#1内のeREG#0をCIF番号分（つまり、１eREG）だけ巡回シフトさせたRB#1内のeREG#1（CCE0）を、CIF=1のSCellのサーチスペースに設定する。同様に、図１３に示すように、設定部１０２は、PCellのサーチスペースが設定されたRB#4内のeREG#1を１eREGだけ巡回シフトさせたRB#4内のeREG#2（CCE5）を、CIF=1のSCellのサーチスペースに設定する。図１３に示すPCellのサーチスペースが設定された他のPRBペア（RB#7およびRB#10）に対するSCellのサーチスペースについても同様である。
【０１１１】
図１３に示すように、PCellのサーチスペースに設定されたCCE（eREG）と、CIF=1のSCellのサーチスペースに設定されたCCE（eREG）とは、同一PRBペア（RB#1、RB#4、RB#7およびRB#10）内に設定される。そこで、設定部１０２は、PCell向けのePDCCHおよびCIF=1のSCellに対して、同一アンテナポートに割り当てられたDMRSを設定する。つまり、PCellのサーチスペースで送信されるePDCCH用のDMRSに割り当てられるアンテナポートと、SCellのサーチスペースで送信されるePDCCH用のDMRSに割り当てられるアンテナポートと、は同一となる。
【０１１２】
また、図１３に示すように、PCellのサーチスペースと、CIF=1のSCellのサーチスペースCCEとは、同一PRBペア（RB#1、RB#4、RB#7およびRB#10）内の互いに異なるCCE（eREG）に設定される。
【０１１３】
次いで、CIF=4（eREG分割数４以上）のSCellについて説明する。図１３に示すように、設定部１０２は、CIF=4のSCellのサーチスペース設定の際、PCellのサーチスペースが設定されたRB#1内のeREG#0をCIF番号分（つまり、4eREG）だけ巡回シフトさせる。ただし、CIF番号（=4）はeREGサイズ（eREGsize=4）以上であるので、設定部１０２は、PCellのサーチスペースが設定されたRB#1に隣接するRBG#2内に、CIF=4のSCellのサーチスペースを設定する。すなわち、設定部１０２は、RB#2内のeREG#0（CCE0）を、CIF=4のSCellのサーチスペースに設定する。同様に、図１３に示すように、設定部１０２は、PCellのサーチスペースが設定されたRB#4内のeREG#1を4eREGだけシフトさせたRB#5内のeREG#1（CCE5）を、CIF=4のSCellのサーチスペースに設定する。図１３に示すPCellのサーチスペースが設定された他のPRBペア（RB#7およびRB#10）に対するSCellのサーチスペースについても同様である。
【０１１４】
一方、端末２００の設定部２０５は、設定部１０２と同様にして、端末２００に設定された各CCのサーチスペースを特定する。具体的には、設定部２０５は、まず、PCellのサーチスペースに設定されたPRBペアおよびeREGに関する情報を基地局１００から取得する。次いで、設定部２０５は、PCellのサーチスペースに設定されたPRBペア内において、PCellのサーチスペースが設定されたeREGを各SCellに設定されたCIF番号分だけ巡回シフトさせたeREGを、当該CIF番号のSCellのサーチスペースに設定する。また、設定部２０５は、CIF番号がeREGサイズ以上の場合には、PCellのサーチスペースに設定されたPRBペアに隣接するPRBペア内のeREGに、当該CIF番号のSCellのサーチスペースを設定する。例えば、設定部２０５は、PCellのサーチスペースに設定されたRB、eREG、および、予め保持している計算式（式（２）および式（３））に基づいて、SCellのサーチスペースを設定する。
【０１１５】
以上のように、本実施の形態では、基地局１００および端末２００は、複数のCCを用いて端末２００と通信を行う際、PCell内のPDSCH領域に含まれる、複数のCCEから各々が構成される複数のPRBペアのうちの同一のPRBペア内に、PCell用の制御情報を割り当てる候補であるサーチスペースと、SCell（PCell以外のCC）用の制御情報を割り当てる候補であるサーチスペースとを設定する。
【０１１６】
このようにして、端末２００に設定された複数のCCのePDCCHのサーチスペースが同一PRBペア内に優先的に設定されることで、より少ないアンテナポートを用いてDMRSを送信することができる（例えば図１２Ａ参照）。これにより、１つの端末２００に対して、パワーブースティングによってDMRSの送信電力を増加させることができるので、ePDCCHのチャネル推定精度を向上させることができる。
【０１１７】
また、実施の形態１と同様、基地局１００および端末２００は、各CCのePDCCHのサーチスペースとして、同一PRBペア内の異なるeREGをそれぞれ設定するので、各CCのePDCCH間でのブロッキング発生確率を低減することができる。
【０１１８】
また、本実施の形態によれば、実施の形態１と同様、サーチスペース設定の際、PCellのサーチスペースからの巡回シフト量を決定するパラメータとして、既存のパラメータである各CCのCIF番号を用いる。これにより、サーチスペース設定のためのパラメータを新たに使用する必要が無いので、サーチスペースの設定に必要となるビット数の増加を抑えることができる。
【０１１９】
また、本実施の形態によれば、CIF番号がeREG分割数（CCE分割数）以上の場合、当該CIF番号のSCellのサーチスペースを、PCellのサーチスペースが設定されたPRBペアに隣接するPRBペア内のeREGにシフトさせる。これにより、実施の形態１と同様、当該SCellのサーチスペースを、PCellのサーチスペースと比較的同一の回線品質が予想されるリソースに設定することができる。このように、端末２００に設定される複数のCCに対応するサーチスペースを、回線品質が同程度であるリソースに設定することで、各CCにおいて選択されるアグリゲーションレベルおよび送信方法（例えば送信ダイバーシチの有無）等をCC間で揃えることができるので、基地局１００のスケジューリング処理が容易になる。
【０１２０】
なお、本実施の形態では、図１３に示すように、各CCのサーチスペースに対応するCCE番号（CCE0〜CCE15）を変更させずに、eREG番号およびRB番号と、CCE番号との対応関係をCC毎に変更させた。しかし、図１４に示すように、CCE番号とeREG番号との関係を変更させずに、SCellのサーチスペースに設定するCCEのCCE番号を巡回シフトさせて、SCellのサーチスペースを設定してもよい。すなわち、図１３では、各CCのサーチスペースに設定されるCCEは、何れのCCにおいてもCCE0、CCE5、CCE10、CCE15である。これに対して、図１４では、各PRBペア（RB番号）のeREG番号とCCE番号との対応関係は変わらず、各CCのサーチスペースに設定されるCCEのCCE番号がCC毎に異なる。
【０１２１】
［実施の形態３］
本実施の形態では、実施の形態１の動作（PRBペア単位のサーチスペース設定）と実施の形態２の動作（CCE単位のサーチスペース設定）とを切り替える場合について説明する。なお、本実施の形態に係る基地局及び端末は、実施の形態１に係る基地局１００及び端末２００と基本構成が共通するので、図８，９を援用して説明する。
【０１２２】
具体的には、基地局１００の設定部１０２は、クロスキャリアスケジューリング時において、端末２００に設定された複数のCCのePDCCHのうち、同一アグリゲーションレベルかつ同一割当方法（localized割当およびdistributed割当）のePDCCHを、PCellの１PRBペア内に（重複せずに）複数配置できるか否かを判断する。設定部１０２は、上記判断において配置可能の場合には実施の形態２の動作を適用し、配置できない場合には実施の形態１の動作を適用する。
【０１２３】
すなわち、設定部１０２は、PCellのサーチスペースとSCellのサーチスペースとを同一PRBペア内の異なるCCE（eREG）にそれぞれ設定できる場合、実施の形態２と同様、PCell内のPDSCHに含まれる複数のPRBペアのうち、同一PRBペア内の異なるCCEを、PCellのサーチスペースおよびSCellのサーチスペースにそれぞれ設定する。
【０１２４】
一方、設定部１０２は、PCellのサーチスペースとSCellのサーチスペースとを同一PRBペア内の異なるCCE（eREG）にそれぞれ設定できない場合、実施の形態１と同様、PCell内のPDSCH領域に含まれる複数のRBGのうち、同一RBG内の異なるPRBペアを、PCellのサーチスペースおよびSCellのサーチスペースにそれぞれ設定する。
【０１２５】
換言すると、設定部１０２は、上記判断の結果に応じて、サーチスペースの設定単位（割当単位）をPRBペア（実施の形態１）とCCE（実施の形態２）とで切り替え、各CCのサーチスペースを優先的に設定する範囲（割当単位群）をRBG（実施の形態１）とPRBペア（実施の形態２）とで切り替える。
【０１２６】
ここで、同一アグリゲーションレベルかつ同一割当方法のePDCCHを１PRBペア内に複数配置できるか否かを判断する条件の一例として、条件１（localized割当）、および、条件２（distributed割当）について説明する。
【０１２７】
条件１：localized割当において、アグリゲーションレベルが、１PRBペアあたりのCCE分割数の半数以下であるか否か
【０１２８】
例えば、１PRBペアあたりのCCE分割数が４の場合、アグリゲーションレベルが２（１PRBペアあたりのCCE分割数÷２）以下（ここではAggregation level 1,2）であれば、同一PRBペア内に複数のePDCCHを配置することができる。よって、設定部１０２は、実施の形態２の動作を適用する。
【０１２９】
一方、１PRBペアあたりのCCE分割数が４の場合、アグリゲーションレベルが２（１PRBペアあたりのCCE分割数÷２）より大きいと（ここではAggregation level 4）、同一PRBペア内のCCEに１つのePDCCHのみが配置され、複数のePDCCHを配置することができない。よって、設定部１０２は、実施の形態１の動作を適用する。
【０１３０】
条件２：distributed割当において、１PRBペアあたりのサーチスペースに設定されるCCE数が１PRBペアあたりのCCE分割数以下であるか否か
【０１３１】
例えば、１PRBペアあたりのCCE分割数が４の場合、distributed割当において、１PRBペアあたりのePDCCHのサーチスペースに設定されるCCE数が２（１PRBペアあたりのCCE分割数÷２）以下であれば、同一PRBペア内に複数のePDCCHを配置することができる。よって、設定部１０２は、実施の形態２の動作を適用する。
【０１３２】
一方、１PRBペアあたりのCCE分割数が４の場合、distributed割当において、１PRBペアあたりのePDCCHのサーチスペースに設定されるCCE数が２より多いと、同一PRBペア内に複数のePDCCHを配置することができない。よって、設定部１０２は、実施の形態１の動作を適用する。
【０１３３】
このように、設定部１０２は、条件（（１）または（２））に応じて、サーチスペース設定方法を切り替えて適用するので、条件によってサーチスペースに設定されるリソースが異なる。
【０１３４】
図１５は、実施の形態１の動作を適用した場合のサーチスペース設定、および、実施の形態２の動作を適用した場合のサーチスペース設定例を示す。なお、図１５に示す２つの図は何れもPCellの下り回線で送信される信号が配置されるリソース（つまり、同一リソース）を示している。つまり、図１５は、説明の便宜上、１つのCC（PCell）内に設定される、２つのCCのサーチスペースをCC毎にそれぞれ分けて示している。
【０１３５】
図１５では、１PRBペアあたりのCCE分割数を４とし、アグリゲーションレベルを４とする。また、図１５では、PCellには、localized割当用のサーチスペース（4CCE）がRB#1、RB#4、RB#7、RB#10にそれぞれ設定され、distributed割当用のサーチスペースがRB#1、RB#4、RB#7、RB#10内の各々１つのeREG（斜線で示す）に設定される。また、SCellのCIF番号を１（CIF=1）とする。
【０１３６】
つまり、図１５では、localized割当において、アグリゲーションレベル（＝４）が２（１PRBペアあたりのCCE分割数÷２）より大きいので、設定部１０２は、localized割当用のサーチスペース設定について、実施の形態１の動作を適用する。すなわち、設定部１０２は、PCellのサーチスペースとして設定されたPRBペアと同一のRBG内において、PCellのPRBペアをSCellに設定されたCIF番号（CIF=1）分だけ巡回シフトさせたPRBペアを、SCellのサーチスペースに設定する。
【０１３７】
一方、図１５では、distributed割当において、１PRBペアあたりのサーチスペースに設定されるCCE数（＝１CCE）が（CCE分割数÷２）以下であるので、設定部１０２は、distributed割当用のサーチスペース設定について、実施の形態２の動作を適用する。すなわち、設定部１０２は、PCellのサーチスペースとして設定されたeREGと同一のPRBペア内において、PCellのeREGをSCellに設定されたCIF番号（CIF=1）分だけ巡回シフトさせたeREGを、SCellのサーチスペースに設定する。
【０１３８】
このように、図１５に示すように、CIF=1のSCellのサーチスペースは、localized割当用とdistributed割当用とで異なるRBに設定される。
【０１３９】
なお、端末２００の設定部２０５は、上述した設定部１０２と同様の処理を行って、サーチスペースを設定する。
【０１４０】
このように、本実施の形態では、基地局１００および端末２００は、サーチスペース設定において、端末２００に設定された複数のCCのePDCCHを、１PRBペア内に（重複せずに）配置できるか否かという条件に応じて、実施の形態１の動作と実施の形態２の動作とを切り替える。
【０１４１】
これにより、複数のCCのePDCCHを１PRBペア内に重複せずに配置できる場合には、同一PRBペア内の互いに異なるCCE（eREG）に各CCのサーチスペースを設定することで、同一アグリゲーションレベルのePDCCH間でのブロッキング発生確率を低減することができる。また、実施の形態２で説明したように、同一PRBペア内に複数のCCのサーチスペースを設定することで、同一アンテナポートを割り当てることができ、DMRSの送信電力を増加させることができる。
【０１４２】
また、複数のCCのePDCCHを１PRBペア内に重複せずに配置できない場合には、同一RBG内の互いに異なるPRBペアに各CCのサーチスペースを設定することで、同一アグリゲーションレベルのePDCCH間でのブロッキング発生確率を低減することができる。
【０１４３】
ここで、１つの端末２００に対して複数のCCが設定される場合、同一のチャネルで制御信号が送信される。このため、DL grant間またはUL grant間では同一のアグリゲーションレベルおよび同一の送信方法（割当方法）が設定されて、ePDCCHが送信される確率が高くなる。よって、本実施の形態のように、同一のアグリゲーションレベルのePDCCH間でのブロッキング発生確率を低減することは、システム運用上のブロッキング確率を低減することに効果的である。
【０１４４】
以上、本発明の各実施の形態について説明した。
【０１４５】
［他の実施の形態］
［１］上記各実施の形態では、PCellのサーチスペースを基準として、SCellのサーチスペースを設定する場合について説明した。しかし、LTE-Advancedでは、あるSCellから他のSCellへのクロスキャリアスケジューリングもサポートされている。この場合、上記各実施の形態において基準のサーチスペースとして用いたPCellのサーチスペースに関するパラメータの代わりに、クロスキャリアスケジューリング元（他のCCのサーチスペースが設定されるCC）に対応するSCellのサーチスペースに関するパラメータを用いればよい。または、上記各実施の形態と同様、PCellに関するパラメータをそのまま適用し、クロスキャリアスケジューリング元のSCellに対しても、他のSCellと同様のサーチスペース設定処理を適用してもよい。
【０１４６】
［２］LTE-Advancedでは、端末が接続している基地局（送信ポイント／受信ポイントとも呼ばれる）において、下り回線データ（PDSCH）をPCellに割り当て、上り回線データ（PUSCH）をSCellに割り当てる等、下り回線と上り回線とで異なる運用を適用することも検討されている。このような運用の場合、クロスキャリアスケジューリングを適用して、例えば、UL grantをあるCC（例えばPCell）から送信し、上り回線データを異なるCC（例えばSCell）から送信させることが重要である。上記各実施の形態を適用することにより、このような運用においてもePDCCHを用いたクロスキャリアスケジューリングを適切に行うことが可能となる。
【０１４７】
［３］上記各実施の形態はCoMP（Coordinated Multi Point transmission and reception）の運用にも適用可能である。CoMPとは、複数の基地局または送受信ポイント（Transmission PointまたはReception Point）で同時に信号を送受信したり、瞬時に送受信ポイントを切り替えたりする運用である。すなわち、CoMP運用における複数の基地局または送受信ポイントを、上記各実施の形態で説明したCC（PCellおよびSCell）と同様に扱えばよい。より詳細には、上記各実施の形態で説明したCC（PCellおよびSCell）の各々を、CoMP運用における各基地局（または送受信ポイント）に置き換えて、上記各実施の形態と同様にして、各基地局向けの制御信号が割り当てられるサーチスペースをそれぞれ設定すればよい。例えば、上記各実施の形態におけるPCellを第１基地局によって用いられる帯域として置き換え、上記各実施の形態におけるSCellを上記第１基地局とは異なる第２基地局によって用いられる帯域として置き換えればよい。これにより、同一周波数（特定の１つの基地局または送受信ポイントに設定された周波数）において、複数の基地局または送受信ポイント向けの制御信号を、異なるサーチスペースで送信することができる。例えば、上り回線において、UL grantをある基地局（受信品質が良好な基地局。例えばマクロセル）の帯域に割り当て、上り回線データ（PUSCH）を異なる基地局（端末付近に位置する基地局。例えばピコセル）の帯域に割り当ててもよい。
【０１４８】
［４］DL grant用のサーチスペースとして、送信モードに応じて決まる下り回線用のDCI format毎にサーチスペースを設定してもよい。例えば、LTE-Advancedでは、下り回線用のサーチスペースとして、１CCあたり２つのサーチスペースを設定する必要がある。基地局１００および端末２００は、この２つのサーチスペースに対しても、上記各実施の形態と同様の方法（例えば巡回シフトパターンに基づく方法）を用いて、各サーチスペースを設定すればよい（図１６参照）。
【０１４９】
ただし、DCI format 0（UL grant用）とDCI format1A（DL grant用）とは同一サイズであり、同時にブラインド復号することができる。そこで、基地局１００は、UL grant用のサーチスペースとして、DCI format 4／DCI format 0／DCI format 1A用のサーチスペースを設定し、DL grant用のサーチスペースとして、送信モードに依存する下り回線用のDCI format用のサーチスペースを設定してもよい。
【０１５０】
また、DCI format 1Aは、送信モードによって決まる下り回線用のDCI format等のビット数の多いDCI formatを用いて通信できない場合等に使用されるため、DCI format 1Aの使用頻度は低い。したがって、DCI format 1Aのサーチスペースは、UL grant（DCI format 0）と同一のサーチスペースに設定され、同一PRBペアでUL grantとDL assignmentとを同時に送信できなくてもさほど問題ではない。また、DCI format 4は、上り回線の送信モードによって使用するか否かが変わるので、端末２００は、使用する場合のみブラインド復号してもよい。
【０１５１】
以上のように１CCあたり所定数のサーチスペースを設定し、さらにクロスキャリアスケジューリングを行なう場合、式(１)または式(２)、(３)におけるnCLを、nCL*(所定数)に置き換えることで、上記各実施の形態と同様に運用できる。例えば、図１６に示すように、基地局１００および端末２００は、１CCあたり２つのサーチスペース（DL grant用サーチスペースおよびUL grant用サーチスペース）を設定し、さらにクロスキャリアスケジューリングを行なう場合、式(１)または式(２)，(３)のnCLを、nCL*2に置き換えて運用できる。すなわち、基地局１００および端末２００は、PCellおよびSCellの各々において、制御情報のフォーマット毎に所定数（図１６では２つ）の異なるサーチスペースが設定される場合、同一RBG内において、PCellのサーチスペースに設定されたPRBペアを、CIF番号（図１６ではCIF=1）を所定数倍した値（図１６では2=（1*2））分だけ巡回シフトさせたPRBペアを、SCellのサーチスペースに設定する。
【０１５２】
［５］上記各実施の形態では、CCEをPRBペアの分割単位として説明を行ったが、CCEを更に分割したものをPRBペアの分割単位とし、当該分割単位に対して、上記各実施の形態を適用することができる。例えば、CCEを更に分割した単位をeREG（または、単に「REG」と呼ばれることもある）と定義し、eREG単位に対して、上記各実施の形態を適用してもよい。例えば、基地局１００および端末２００は、PCell内のPDSCH領域に含まれる複数のCCEのうち、同一CCE内の異なるeREGを、PCellのサーチスペースおよびSCellのサーチスペースに設定してもよい。
【０１５３】
［６］また、上記各実施の形態において巡回シフト量を決定するパラメータとして用いた値は、CIF番号に限らず、基地局１００と端末２００との間で共有している他の識別番号でもよい。
【０１５４】
［７］上記各実施の形態において、アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１５５】
例えば3GPP LTEにおいては、アンテナポートが何本の物理アンテナから構成されるかは規定されず、基地局が異なる参照信号（Reference signal）を送信できる最小単位として規定されている。
【０１５６】
また、アンテナポートはプリコーディングベクトル（Precoding vector）の重み付けを乗算する最小単位として規定されることもある。
【０１５７】
［８］上記各実施の形態では、本発明をハードウェアで構成する場合を例にとって説明したが、本発明はハードウェアとの連携においてソフトウェアでも実現することも可能である。
【０１５８】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）又は、ＬＳＩ内部の回路セルの接続若しくは設定を再構成可能なリコンフィギュラブル・プロセッサを利用してもよい。
【０１６０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６１】
本開示の送信装置は、複数のコンポーネントキャリア（CC：Component Carrier）を用いて通信を行う際、第１CC内のデータ割当可能領域に含まれる複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定する設定手段と、前記第１サーチスペースおよび前記第２サーチスペースの各々にマッピングされた制御情報を送信する送信手段と、を具備する構成を採る。
【０１６２】
本開示の送信装置において、前記設定手段は、前記同一の割当単位群内の異なる割当単位を、前記第１サーチスペースおよび前記第２サーチスペースにそれぞれ設定する。
【０１６３】
本開示の送信装置において、前記割当単位は物理リソースブロック（PRB：Physical Resource Block）ペアであり、前記割当単位群はリソースブロックグループ（RBG：Resource Block Group）またはサブバンドであって、前記設定手段は、前記第１CC内のデータ割当可能領域に含まれる複数のRBGのうち、同一RBG内または同一サブバンド内の異なるPRBペアを、前記第１サーチスペースおよび前記第２サーチスペースにそれぞれ設定する。
【０１６４】
本開示の送信装置において、前記設定手段は、前記同一RBGまたは前記同一サブバンド内において、前記第１サーチスペースに設定された第１PRBペアを巡回シフトさせた、前記第１PRBペアとは異なる第２PRBペアを、前記第２サーチスペースに設定する。
【０１６５】
本開示の送信装置において、前記巡回シフトの量は、前記第２CCに設定されたCIF（Carrier Indication Field）の値である。
【０１６６】
本開示の送信装置において、前記設定手段は、前記巡回シフトの量がRBGを構成するPRBペア数以上の場合、前記第１PRBペアが属するRBGに隣接する他のRBG内の第３PRBペアを、前記第２サーチスペースに設定する。
【０１６７】
本開示の送信装置において、前記設定手段は、前記同一RBGよりも優先して、前記同一サブバンド内において、前記第１PRBペアを巡回シフトさせた前記第２PRBペアを前記第２サーチスペースに設定する。
【０１６８】
本開示の送信装置において、前記設定手段は、前記同一RBG内に、PRBバンドリング単位である複数のPRG（Precoding Resource block Group）が含まれる場合、前記複数のPRGのうち、前記第１PRBペアが含まれるPRG内のPRBペアを優先して、前記第２サーチスペースに設定する。
【０１６９】
本開示の送信装置において、前記RBGを構成するPRBペア数が４個の場合、前記PRGを構成するPRBペア数が２個であり、前記設定手段は、前記同一PRGを構成する２個のPRBペアのうち一方のPRBペアを前記第１サーチスペースに設定し、他方のPRBペアを前記第２サーチスペースに設定する。
【０１７０】
本開示の送信装置において、前記割当単位は制御チャネル要素（CCE：Control Channel Element）であり、前記割当単位群は物理リソースブロック（PRB：Physical Resource Block）ペアであって、前記設定手段は、前記第１CC内のデータ割当可能領域に含まれる複数のPRBペアのうち、同一PRBペア内の異なるCCEを、前記第１サーチスペースおよび前記第２サーチスペースにそれぞれ設定する。
【０１７１】
本開示の送信装置において、前記設定手段は、前記同一PRBペア内において、前記第１サーチスペースに設定された第１CCEを巡回シフトさせた、前記第１CCEとは異なる第２CCEを、前記第２サーチスペースに設定する。
【０１７２】
本開示の送信装置において、前記巡回シフトの量は、前記第２CCに設定されたCIF（Carrier Indication Field）の値である。
【０１７３】
本開示の送信装置において、前記設定手段は、前記巡回シフトの量がPRBペアを構成するCCE数以上の場合、前記第１CCEが属するPRBペアに隣接する他のPRBペア内の第３CCEを、前記第２サーチスペースに設定する。
【０１７４】
本開示の送信装置において、前記第１サーチスペースで送信される制御情報用の参照信号に割り当てられるアンテナポートと、前記第２サーチスペースで送信される制御情報用の参照信号に割り当てられるアンテナポートと、は同一である。
【０１７５】
本開示の送信装置において、前記設定手段は、前記第１サーチスペースと前記第２サーチスペースとを前記同一PRBペア内の異なるCCEにそれぞれ設定できない場合、前記割当単位を物理リソースブロック（PRB：Physical Resource Block）ペアとし、前記割当単位群をリソースブロックグループ（RBG：Resource Block Group）またはサブバンドとして、前記第１CC内のデータ割当可能領域に含まれる複数のRBGのうち、同一RBG内または同一サブバンド内の異なるPRBペアを、前記第１サーチスペースおよび前記第２サーチスペースにそれぞれ設定する。
【０１７６】
本開示の送信装置において、前記設定手段は、ローカライズド割当におけるアグリゲーションレベルが１つのPRBペアを構成するCCE数の半数よりも大きい場合、前記第１サーチスペースと前記第２サーチスペースとが前記同一のPRBペア内の異なるCCEにそれぞれ設定できないと判断する。
【０１７７】
本開示の送信装置において、前記設定手段は、ディストリビューテッド割当において、１つのPRBペアあたりのサーチスペースに設定されるCCE数が、１つのPRBペアを構成するCCE数の半数よりも多い場合、前記第１サーチスペースと前記第２サーチスペースとが前記同一のPRBペア内の異なるCCEにそれぞれ設定できないと判断する。
【０１７８】
本開示の送信装置において、前記第１CCはプライマリセルであり、前記第２CCはセカンダリセルである。
【０１７９】
本開示の送信装置において、前記第１CCは第１基地局によって用いられる帯域であり、前記第２CCは前記第１基地局とは異なる第２基地局によって用いられる帯域である。
【０１８０】
本開示の送信装置において、前記第１CCおよび前記第２CCの各々において、制御情報のフォーマット毎に所定数の異なるサーチスペースが設定される場合、前記設定手段は、前記同一RBGまたは前記同一サブバンド内において、前記第１サーチスペースに設定された第１PRBペアを、前記CIFの値を前記所定数倍した値分だけ巡回シフトさせた前記第２PRBペアを、前記第２サーチスペースに設定する。
【０１８１】
本開示の送信装置において、前記割当単位はリソース要素グループ（REG：Resource Element Group）であり、前記割当単位群は制御チャネル要素（CCE：Control Channel Element）であって、前記設定手段は、前記第１CC内のデータ割当可能領域に含まれる複数のCCEのうち、同一CCE内の異なるREGを、前記第１サーチスペースおよび前記第２サーチスペースにそれぞれ設定する。
【０１８２】
本開示の受信装置は、複数のコンポーネントキャリア（CC：Component Carrier）を用いて通信を行う際、第１CC内のデータ割当可能領域に含まれる、複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定する設定手段と、前記第１サーチスペースおよび前記第２サーチスペースの各々にマッピングされた制御情報を受信する受信手段と、を具備する構成を採る。
【０１８３】
本開示の送信方法は、複数のコンポーネントキャリア（CC：Component Carrier）を用いて通信を行う際、第１CC内のデータ割当可能領域に含まれる、複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定し、前記第１サーチスペースおよび前記第２サーチスペースの各々にマッピングされた制御情報を送信する。
【０１８４】
本開示の受信方法は、複数のコンポーネントキャリア（CC：Component Carrier）を用いて通信を行う際、第１CC内のデータ割当可能領域に含まれる、複数の割当単位群のうちの同一の割当単位群内に、前記第１CC用の制御情報を割り当てる候補である第１サーチスペースと、前記複数のCCのうちの前記第１CC以外の第２CC用の制御情報を割り当てる候補である第２サーチスペースとを設定し、前記第１サーチスペースおよび前記第２サーチスペースの各々にマッピングされた制御情報を受信する。
【０１８５】
２０１２年５月９日出願の特願２０１２−１０７６７７の日本出願に含まれる明細書、図面および要約書の開示内容は、すべて本願に援用される。
【産業上の利用可能性】
【０１８６】
本発明は、ePDCCHにおいてクロスキャリアスケジューリングを適切に行うことができるものとして有用である。
【符号の説明】
【０１８７】
１００  基地局
２００  端末
１０１  割当情報生成部
１０２，２０５  設定部
１０３，２０７  誤り訂正符号化部
１０４，２０８  変調部
１０５，２０９  信号割当部
１０６，２１０  送信部
１０７，２０１  受信部
１０８，２０３  復調部
１０９，２０４  誤り訂正復号部
２０２  信号分離部
２０６  制御信号受信部
【図１】
2013168389.tif 000006
【図２】
2013168389.tif 000007
【図３】
2013168389.tif 000008
【図４】
2013168389.tif 000009
【図５】
2013168389.tif 000010
【図６】
2013168389.tif 000011
【図７】
2013168389.tif 000012
【図８】
2013168389.tif 000013
【図９】
2013168389.tif 000014
【図１０】
2013168389.tif 000015
【図１１】
2013168389.tif 000016
【図１２】
2013168389.tif 000017
【図１３】
2013168389.tif 000018
【図１４】
2013168389.tif 000019
【図１５】
2013168389.tif 000020
【図１６】
2013168389.tif 000021
【手続補正書】
【提出日】平成26年6月17日(2014.6.17)
【手続補正２】
【補正対象書類名】明細書
【補正対象項目名】０００１
【補正方法】変更
【補正の内容】
【０００１】
本発明は、通信装置、通信方法及び集積回路に関する。
【手続補正３】
【補正対象書類名】明細書
【補正対象項目名】００２１
【補正方法】変更
【補正の内容】
【００２１】
本発明の目的は、ePDCCHにおいてクロスキャリアスケジューリングを適切に行うことができる通信装置、通信方法及び集積回路を提供することである。
【手続補正４】
【補正対象書類名】明細書
【補正対象項目名】００２２
【補正方法】変更
【補正の内容】
【００２２】
本発明の一態様の通信装置は、第１のコンポーネントキャリアのデータ領域に含まれる複数の物理リソースブロックセット（PRBセット）のうちの一つのPRBセット内に、第１のサーチスペースと第２のサーチスペースとを設定し、前記第２のサーチスペースは、第２のコンポーネントキャリアに設定されたCIF（Carrier Indicator Field）の値を用いて設定され、前記第１のサーチスペースは前記第１のコンポーネントキャリアの第１の下り制御情報をマッピングするための一つ以上のマッピング候補を含み、前記第２のサーチスペースは前記第２のコンポーネントキャリアの第２の下り制御情報をマッピングするための一つ以上のマッピング候補を含む、設定部と、前記第１のサーチスペースで前記第１の下り制御情報を送信し、前記第２のサーチスペースで前記第２の下り制御情報を送信する送信部と、を具備する構成を採る。
【手続補正５】
【補正対象書類名】明細書
【補正対象項目名】００２３
【補正方法】変更
【補正の内容】
【００２３】
本発明の一態様の通信装置において、前記複数のPRBセットの各々は複数のコントロールチャネルエレメント（CCE）を含み、前記設定部において、前記第２のサーチスペースに含まれる前記一つ以上のマッピング候補に対応する一つ以上のCCEは、前記第１のサーチスペースに含まれる一つ以上のマッピング候補に対応する一つ以上のCCEを、前記第２のコンポーネントキャリアに設定されたCIFの値だけ巡回シフトすることにより得られる。
【手続補正６】
【補正対象書類名】明細書
【補正対象項目名】００２４
【補正方法】変更
【補正の内容】
【００２４】
本発明の一態様の通信方法は、第１のコンポーネントキャリアのデータ領域に含まれる複数の物理リソースブロックセット（PRBセット）のうちの一つのPRBセット内に、第１のサーチスペースと第２のサーチスペースとを設定し、前記第２のサーチスペースは、第２のコンポーネントキャリアに設定されたCIF（Carrier Indicator Field）の値を用いて設定され、前記第１のサーチスペースは前記第１のコンポーネントキャリアの第１の下り制御情報をマッピングするための一つ以上のマッピング候補を含み、前記第２のサーチスペースは前記第２のコンポーネントキャリアの第２の下り制御情報をマッピングするための一つ以上のマッピング候補を含み、前記第１のサーチスペースで前記第１の下り制御情報を送信し、前記第２のサーチスペースで前記第２の下り制御情報を送信する。
【手続補正７】
【補正対象書類名】明細書
【補正対象項目名】００２５
【補正方法】変更
【補正の内容】
【００２５】
本発明の一態様の集積回路は、第１のコンポーネントキャリアのデータ領域に含まれる複数の物理リソースブロックセット（PRBセット）のうちの一つのPRBセット内に、第１のサーチスペースと第２のサーチスペースとを設定し、前記第２のサーチスペースは、第２のコンポーネントキャリアに設定されたCIF（Carrier Indicator Field）の値を用いて設定され、前記第１のサーチスペースは前記第１のコンポーネントキャリアの第１の下り制御情報をマッピングするための一つ以上のマッピング候補を含み、前記第２のサーチスペースは前記第２のコンポーネントキャリアの第２の下り制御情報をマッピングするための一つ以上のマッピング候補を含む、処理と、前記第１のサーチスペースで前記第１の下り制御情報を送信し、前記第２のサーチスペースで前記第２の下り制御情報を送信する処理と、を制御する。
【手続補正８】
【補正対象書類名】特許請求の範囲
【補正対象項目名】全文
【補正方法】変更
【補正の内容】
【特許請求の範囲】
【請求項１】
第１のコンポーネントキャリアのデータ領域に含まれる複数の物理リソースブロックセット（PRBセット）のうちの一つのPRBセット内に、第１のサーチスペースと第２のサーチスペースとを設定し、前記第２のサーチスペースは、第２のコンポーネントキャリアに設定されたCIF（Carrier Indicator Field）の値を用いて設定され、前記第１のサーチスペースは前記第１のコンポーネントキャリアの第１の下り制御情報をマッピングするための一つ以上のマッピング候補を含み、前記第２のサーチスペースは前記第２のコンポーネントキャリアの第２の下り制御情報をマッピングするための一つ以上のマッピング候補を含む、設定部と、
前記第１のサーチスペースで前記第１の下り制御情報を送信し、前記第２のサーチスペースで前記第２の下り制御情報を送信する送信部と、
を具備する通信装置。
【請求項２】
前記複数のPRBセットの各々は複数のコントロールチャネルエレメント（CCE）を含み、
前記設定部において、前記第２のサーチスペースに含まれる前記一つ以上のマッピング候補に対応する一つ以上のCCEは、前記第１のサーチスペースに含まれる一つ以上のマッピング候補に対応する一つ以上のCCEを、前記第２のコンポーネントキャリアに設定されたCIFの値だけ巡回シフトすることにより得られる、
請求項１に記載の通信装置。
【請求項３】
前記巡回シフトは、特定の計算式を用いて行われる、
請求項２に記載の通信装置。
【請求項４】
前記マッピング候補は、前記データ領域中の下り制御チャネル（EPDCCH）候補であり、アグリゲーションレベルの値と同数のCCEによって構成される、
請求項１から３のいずれか一項に記載の通信装置。
【請求項５】
前記複数のPRBセットの各々は、複数のコントロールチャネルエレメント（CCE）を含み、
各CCEは、複数のリソースエレメントグループ（REG）を含み、
前記第２のサーチスペースにおけるCCE番号とREG番号との対応づけは、前記第１のサーチスペースにおける前記CCE番号と前記REG番号との対応づけと同じである、
請求項１から４のいずれか一項に記載の通信装置。
【請求項６】
前記設定部は、前記第２のサーチスペースを、前記一つのPRBセット内において第１のサーチスペースと周波数領域で重ならないリソースに設定する、
請求項１から５のいずれか一項に記載の通信装置。
【請求項７】
前記第１のコンポーネントキャリアはプライマリセルであり、前記第２のコンポーネントキャリアはセカンダリセルである、
請求項１から６のいずれか一項に記載の通信装置。
【請求項８】
第１のコンポーネントキャリアのデータ領域に含まれる複数の物理リソースブロックセット（PRBセット）のうちの一つのPRBセット内に、第１のサーチスペースと第２のサーチスペースとを設定し、前記第２のサーチスペースは、第２のコンポーネントキャリアに設定されたCIF（Carrier Indicator Field）の値を用いて設定され、前記第１のサーチスペースは前記第１のコンポーネントキャリアの第１の下り制御情報をマッピングするための一つ以上のマッピング候補を含み、前記第２のサーチスペースは前記第２のコンポーネントキャリアの第２の下り制御情報をマッピングするための一つ以上のマッピング候補を含み、
前記第１のサーチスペースで前記第１の下り制御情報を送信し、前記第２のサーチスペースで前記第２の下り制御情報を送信する、
通信方法。
【請求項９】
前記複数のPRBセットの各々は複数のコントロールチャネルエレメント（CCE）を含み、
前記第２のサーチスペースに含まれる前記一つ以上のマッピング候補に対応する一つ以上のCCEは、前記第１のサーチスペースに含まれる一つ以上のマッピング候補に対応する一つ以上のCCEを、前記第２のコンポーネントキャリアに設定されたCIFの値だけ巡回シフトすることにより得られる、
請求項８に記載の通信方法。
【請求項１０】
前記巡回シフトは、特定の計算式を用いて行われる、
請求項９に記載の通信方法。
【請求項１１】
前記マッピング候補は、前記データ領域中の下り制御チャネル（EPDCCH）候補であり、アグリゲーションレベルの値と同数のCCEによって構成される、
請求項８から１０のいずれか一項に記載の通信方法。
【請求項１２】
前記複数のPRBセットの各々は、複数のコントロールチャネルエレメント（CCE）を含み、
各CCEは、複数のリソースエレメントグループ（REG）を含み、
前記第２のサーチスペースにおけるCCE番号とREG番号との対応づけは、前記第１のサーチスペースにおける前記CCE番号と前記REG番号との対応づけと同じである、
請求項８から１１のいずれか一項に記載の通信方法。
【請求項１３】
前記第２のサーチスペースを、前記一つのPRBセット内において第１のサーチスペースと周波数領域で重ならないリソースに設定する、
請求項８から１２のいずれか一項に記載の通信方法。
【請求項１４】
前記第１のコンポーネントキャリアはプライマリセルであり、前記第２のコンポーネントキャリアはセカンダリセルである、
請求項８から１３のいずれか一項に記載の通信方法。
【請求項１５】
第１のコンポーネントキャリアのデータ領域に含まれる複数の物理リソースブロックセット（PRBセット）のうちの一つのPRBセット内に、第１のサーチスペースと第２のサーチスペースとを設定し、前記第２のサーチスペースは、第２のコンポーネントキャリアに設定されたCIF（Carrier Indicator Field）の値を用いて設定され、前記第１のサーチスペースは前記第１のコンポーネントキャリアの第１の下り制御情報をマッピングするための一つ以上のマッピング候補を含み、前記第２のサーチスペースは前記第２のコンポーネントキャリアの第２の下り制御情報をマッピングするための一つ以上のマッピング候補を含む、処理と、
前記第１のサーチスペースで前記第１の下り制御情報を送信し、前記第２のサーチスペースで前記第２の下り制御情報を送信する処理と、
を制御する集積回路。
【国際調査報告】
2013168389.tif 000022
2013168389.tif 000023